(57)【特許請求の範囲】
【請求項１】
テレビジョン放送番組の画像の一部に関連し、テレビジョン信号受信装置のユーザから表示の指示があったときに前記テレビジョン信号受信装置に表示される補完情報を図形と文字で表示させるための表示データと、前記補完情報を有する前記画像の一部の画面上の位置に関する位置データとを含む補完情報関連信号を発生する発生手段と、
前記補完情報関連信号と前記テレビジョン放送番組の信号を周波数多重または時分割多重で、多重化する多重化手段と、
前記多重化手段により多重化された前記テレビジョン放送信号を出力する出力手段と
を備えることを特徴とするテレビジョン放送装置。
【請求項２】
テレビジョン放送番組の画像の一部に関連し、テレビジョン信号受信装置のユーザから表示の指示があったときに前記テレビジョン信号受信装置に表示される補完情報を図形と文字で表示させるための表示データと、前記補完情報を有する前記画像の一部の画面上の位置に関する位置データとを含む補完情報関連信号を発生し、
前記補完情報関連信号と前記テレビジョン放送番組の信号を周波数多重または時分割多重で、多重化し、
多重化された前記テレビジョン放送信号を出力する
ことを特徴とするテレビジョン放送方法。
【請求項３】
テレビジョン放送番組の画像の一部に関連し、テレビジョン信号受信装置のユーザから表示の指示があったときに前記テレビジョン信号受信装置に表示される補完情報、前記補完情報を有する前記画像の一部に対応し、前記補完情報を表示させるときに操作されるアイコンを表示させるための表示データ、および前記表示データにより表示される前記アイコンの画面上における位置に関する位置データとを含む補完情報関連信号を発生する発生手段と、
前記補完情報関連信号と前記テレビジョン放送番組の信号を周波数多重または時分割多重で、多重化する多重化手段と、
前記多重化手段により多重化された前記テレビジョン放送信号を出力する出力手段と
を備えることを特徴とするテレビジョン放送装置。
【請求項４】
テレビジョン放送番組の画像の一部に関連し、テレビジョン信号受信装置のユーザから表示の指示があったときに前記テレビジョン信号受信装置に表示される補完情報、前記補完情報を有する前記画像の一部に対応し、前記補完情報を表示させるときに操作されるアイコンを表示させるための表示データ、および前記表示データにより表示される前記アイコンの画面上における位置に関する位置データとを含む補完情報関連信号を発生し、
前記補完情報関連信号と前記テレビジョン放送番組の信号を周波数多重または時分割多重で、多重化し、
多重化された前記テレビジョン放送信号を出力する
ことを特徴とするテレビジョン放送方法。
【請求項５】
テレビジョン放送番組の画像の一部に関連し、テレビジョン信号受信装置のユーザから表示の指示があったときに前記テレビジョン信号受信装置に表示される補完情報を図形と文字で表示させるための表示データと、前記補完情報を有する前記画像の一部の画面上の位置に関する位置データとを含む補完情報関連信号、または、前記補完情報、前記補完情報を有する前記画像の一部に対応し、前記補完情報を表示させるときに操作されるアイコンを表示させるための表示データ、および前記表示データにより表示される前記アイコンの画面上における位置に関する位置データとを含む補完情報関連信号のうち、いずれか一方が多重化されているテレビジョン放送信号より、前記補完情報関連信号を受信する受信手段と、
指示があったときに、前記位置データに基づき、前記補完情報が対応されている前記画像の一部、またはそれに対応するアイコンが選択されていることを示すカーソルを前記テレビジョン放送番組の画像に重畳し、表示する第１の表示手段と、
前記補完情報が対応されている前記画像の一部または前記アイコンのうち、選択された前記画像の一部または前記アイコンを決定する決定手段と、
前記決定手段により決定された前記画像の一部または前記アイコンに対応する前記補完情報を表示する第２の表示手段と
を備えることを特徴とするテレビジョン信号受信装置。
【請求項６】
前記決定手段により前記画像の一部または前記アイコンが選択されるとき、前記テレビジョン放送番組の画像を静止させる静止手段をさらに備える
ことを特徴とする請求項５に記載のテレビジョン信号受信装置。
【請求項７】
照射される可視光線を検知する検知手段をさらに備え、
前記決定手段は、検知手段により検知される前記可視光線の位置から、選択された前記画像の一部またはそれに対応する前記アイコンを決定する
ことを特徴とする請求項５に記載のテレビジョン信号受信装置。
【請求項８】
テレビジョン放送番組の画像の一部に関連し、テレビジョン信号受信装置のユーザから表示の指示があったときに前記テレビジョン信号受信装置に表示される補完情報を図形と文字で表示させるための表示データと、前記補完情報を有する前記画像の一部の画面上の位置に関する位置データとを含む補完情報関連信号、または、前記補完情報、前記補完情報を有する前記画像の一部に対応し、前記補完情報を表示させるときに操作されるアイコンを表示させるための表示データ、および前記表示データにより表示される前記アイコンの画面上における位置に関する位置データとを含む補完情報関連信号のうち、いずれか一方が多重化されているテレビジョン放送信号より、前記補完情報関連信号を受信し、
指示があったときに、前記位置データに基づき、前記補完情報が対応されている前記画像の一部、またはそれに対応するアイコンが選択されていることを示すカーソルを前記テレビジョン放送番組の画像に重畳し、表示し、
前記補完情報が対応されている前記画像の一部または前記アイコンのうち、選択された前記画像の一部または前記アイコンを決定し、
決定された前記画像の一部または前記アイコンに対応する前記補完情報を表示する
ことを特徴とするテレビジョン信号受信方法。
【発明の詳細な説明】
【０００１】
【発明の属する技術分野】
本発明は、テレビジョン放送装置およびテレビジョン放送方法並びにテレビジョン信号受信装置およびテレビジョン信号受信方法に関し、特に、テレビジョン放送装置が、テレビジョン放送番組の画像の一部に関連した補完情報を含むＦＡＸ信号を送信し、テレビジョン受信機が、そのＦＡＸ信号を受信し、補完情報を表示するようにしたテレビジョン放送装置およびテレビジョン放送方法並びにテレビジョン信号受信装置およびテレビジョン信号受信方法に関する。
【０００２】
【従来の技術】
テレビジョン（ＴＶ）放送においては、ＴＶ放送番組の映像、音声以外の情報を多重化して伝送するものとして、ＴＶ映像信号の垂直帰線消去期間の走査ライン上に文字データ信号を多重化した文字放送と、文字放送にさらにファクシミリ伝送の機能を付加したＦＡＸ多重放送がある。
【０００３】
文字放送においては、各家庭でこれを受信し、株価や天気予報等の文字、図形情報をＴＶ映像と切り換えてＣＲＴに表示したり、ＴＶ映像の出力表示とは異なるＣＲＴに表示させることができる。
【０００４】
ＦＡＸ多重放送においては、ＴＶ映像信号のＣＲＴへの出力表示と共に、ＴＶ映像信号に多重化されているＦＡＸ信号をデコードし、ＦＡＸに出力することにより、各家庭のＦＡＸで画像を出力させることができる。
【０００５】
【発明が解決しようとする課題】
しかしながら、従来のＴＶ放送番組に多重化されて放送される情報は、本来のＴＶ放送番組とは基本的に独立した別個の番組であり、本来のＴＶ放送番組に密接に関連し、その画像を補完する情報ではなかった。例えば、今放送されている番組の画像として表示されている出演者のプロフィール、出演者の所持品、ロケ地等についての情報を取得したい場合、電話、ファクシミリ等を用いて、各ＴＶ局へ問い合わせる以外に方法がなく、従来の各多重放送ではＴＶ視聴者の要求に充分応えられない課題があった。
【０００７】
本発明はこのような状況に鑑みてなされたものであり、ＴＶ放送番組の補完情報を提供し、この補完情報の任意のものを、迅速に選択表示できるようにするものである。
【０００８】
本発明の第１のテレビジョン放送装置は、テレビジョン放送番組の画像の一部に関連し、テレビジョン信号受信装置のユーザから表示の指示があったときにテレビジョン信号受信装置に表示される補完情報を図形と文字で表示させるための表示データと、補完情報を有する画像の一部の画面上の位置に関する位置データとを含む補完情報関連信号を発生する発生手段と、補完情報関連信号とテレビジョン放送番組の信号を周波数多重または時分割多重で、多重化する多重化手段と、多重化手段により多重化されたテレビジョン放送信号を出力する出力手段とを備えることを特徴とする。
【０００９】
本発明の第１のテレビジョン放送方法は、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号を発生し、補完情報関連信号とテレビジョン放送番組の信号を周波数多重または時分割多重で、多重化し、多重化されたテレビジョン放送信号を出力することを特徴とする。
【００１０】
本発明の第２のテレビジョン放送装置は、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号を発生する発生手段と、補完情報関連信号とテレビジョン放送番組の信号を周波数多重または時分割多重で、多重化する多重化手段と、多重化手段により多重化されたテレビジョン放送信号を出力する出力手段とを備えることを特徴とする。
【００１１】
本発明の第２のテレビジョン放送方法は、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号を発生し、補完情報関連信号とテレビジョン放送番組の信号を周波数多重または時分割多重で、多重化し、多重化されたテレビジョン放送信号を出力することを特徴とする。
【００１２】
本発明のテレビジョン信号受信装置は、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号を受信する受信手段と、指示があったときに、位置データに基づき、補完情報が対応されている画像の一部、またはそれに対応するアイコンが選択されていることを示すカーソルをテレビジョン放送番組の画像に重畳し、表示する第１の表示手段と、補完情報が対応されている画像の一部またはアイコンのうち、選択された画像の一部またはアイコンを決定する決定手段と、決定手段により決定された画像の一部またはアイコンに対応する補完情報を表示する第２の表示手段とを備えることを特徴とする。
【００１３】
本発明のテレビジョン信号受信装置は、決定手段により画像の一部またはアイコンが選択されるとき、テレビジョン放送番組の画像を静止させる静止手段をさらに備えることを特徴とする。
【００１４】
本発明のテレビジョン信号受信方法は、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号を受信し、指示があったときに、位置データに基づき、補完情報が対応されている画像の一部、またはそれに対応するアイコンが選択されていることを示すカーソルをテレビジョン放送番組の画像に重畳し、表示し、補完情報が対応されている画像の一部またはアイコンのうち、選択された画像の一部またはアイコンを決定し、決定された画像の一部またはアイコンに対応する補完情報を表示することを特徴とする。
【００１５】
本発明の第１のテレビジョン放送装置においては、発生手段が、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号を発生し、多重化手段が、補完情報関連信号とテレビジョン放送番組の信号を周波数多重または時分割多重で、多重化する。
【００１６】
本発明の第１のテレビジョン放送方法においては、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号が発生され、その信号とテレビジョン放送番組の信号が周波数多重または時分割多重で、多重化される。
【００１７】
本発明の第２のテレビジョン放送装置においては、発生手段が、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号を発生し、多重化手段が、補完情報関連信号とテレビジョン放送番組の信号を周波数多重または時分割多重で、多重化する。
【００１８】
本発明の第２のテレビジョン放送方法においては、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号が発生され、その信号とテレビジョン放送番組の信号が周波数多重または時分割多重で、多重化される。
【００１９】
本発明のテレビジョン信号受信装置においては、受信手段が、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号を受信し、第１の表示手段が、指示があったときに、位置データに基づき、補完情報が対応されている画像の一部、またはそれに対応するアイコンが選択されていることを示すカーソルをテレビジョン放送番組の画像に重畳し、表示し、決定手段が、補完情報が対応されている画像の一部またはアイコンのうち、選択された画像の一部またはアイコンを決定し、第２の表示手段が、決定手段により決定された画像の一部またはアイコンに対応する補完情報を表示する。
【００２０】
本発明のテレビジョン信号受信装置においては、静止手段が、決定手段により画像の一部またはアイコンが選択されるとき、テレビジョン放送番組の画像を静止させる。
【００２１】
本発明のテレビジョン信号受信方法においては、テレビジョン放送番組の画像の一部に関連し、テレビジョン信号受信装置のユーザから表示の指示があったときにテレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号が受信され、指示があったときに、位置データに基づき、補完情報が対応されている画像の一部、またはそれに対応するアイコンが選択されていることを示すカーソルがテレビジョン放送番組の画像に重畳され、表示され、補完情報が対応されている画像の一部またはアイコンのうち、選択された画像の一部またはアイコンを決定し、決定された画像の一部またはアイコンに対応する補完情報が表示される。
【００２２】
【発明の実施の形態】
以下に本発明の実施例を説明するが、特許請求の範囲に記載の各手段と以下の実施例との対応関係を明かにするために、各手段の後の括弧内に、対応する実施例（但し一例）を付加して本発明の特徴を記述すると、次のようになる。但し、勿論この記載は、各手段を記載したものに限定することを意味するものではない。
【００２３】
請求項１に記載のテレビジョン放送装置は、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号を発生する発生手段（例えば、図１の文字表示信号発生回路１６）と、信号とテレビジョン放送番組の信号を周波数多重または時分割多重で、多重化する多重化手段（例えば、図１のマルチプレクサ１３）と、多重化手段により多重化されたテレビジョン放送信号を出力する出力手段（例えば、図１の送信回路１４）とを備えることを特徴とする。
【００２４】
請求項２に記載のテレビジョン放送方法は、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号を発生する発生手段（例えば、図１のアイコン表示信号発生回路１５）と、信号とテレビジョン放送番組の信号を周波数多重または時分割多重で、多重化する多重化手段（例えば、図１のマルチプレクサ１３）と、多重化手段により多重化されたテレビジョン放送信号を出力する出力手段（例えば、図１の送信回路１４）とを備えることを特徴とする。
【００２５】
請求項５に記載のテレビジョン信号受信装置は、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号を受信する受信手段（例えば、図４のＴＶチューナ３１）と、指示があったときに、位置データに基づき、補完情報が対応されている画像の一部、またはそれに対応するアイコンが選択されていることを示すカーソルをテレビジョン放送番組の画像に重畳し、表示する第１の表示手段（例えば、図４のＯＳＤ制御回路３９）と、補完情報が対応されている画像の一部またはアイコンのうち、選択された画像の一部またはアイコンを決定する決定手段（例えば、図４のマイクロコンピュータ３８）と、決定手段により決定された画像の一部またはアイコンに対応する補完情報を表示する第２の表示手段（例えば、図４の重畳回路３７）とを備えることを特徴とする。
【００２６】
請求項６に記載のテレビジョン信号受信装置は、決定手段により画像の一部またはアイコンが選択されるとき、テレビジョン放送番組の画像を静止させる静止手段（例えば、図４の映像デーコード回路３４）をさらに備えることを特徴とする。
【００２７】
図１は本発明のＴＶ放送装置の一実施例の構成を示すブロック図である。
【００２８】
ＴＶ映像信号とＴＶ音声信号は、例えば放送用ビデオテープレコーダなどで構成されるＴＶ信号発生回路１１で生成増幅され、マルチプレクサ１３に出力されるようになされている。
【００２９】
ＦＡＸ信号発生回路１２は、アイコン表示信号発生回路１５、文字表示信号発生回路１６、および切換回路１７で構成され、ＴＶ放送番組の補完情報（例えば、出演者のプロフィールやロケ地情報等）をＦＡＸ信号に変換し、マルチプレクサ１３に出力するようになされている。
【００３０】
ＦＡＸ信号発生回路１２のアイコン表示信号発生回路１５は、補完情報を有する画像の一部（以下、情報箇所と称する）に対応したアイコンと補完情報を表すアイコンを表示させるための表示データ、および情報箇所に対応したアイコンの画面上における位置の位置情報をＦＡＸ信号に変換し、切換回路１７に出力するようになされている。
【００３１】
ＦＡＸ信号発生回路１２の文字表示信号発生回路１６は、補完情報を簡易な図形や文字で表示するための表示データと情報箇所の画面上の位置情報をＦＡＸ信号に変換し、切換回路１７に出力するようになされている。
【００３２】
切換回路１７は、アイコン表示信号発生回路１５または文字信号発生回路１６から入力されるＦＡＸ信号のうち、いずれか一つのＦＡＸ信号を選択し、マルチプレクサ１３に出力するようになされている。
【００３３】
マルチプレクサ１３は、ＴＶ信号発生回路１１から入力されるＴＶ音声信号にＦＡＸ信号発生回路１２から入力されるＦＡＸ信号を多重化し、さらにＴＶ映像信号に多重化して送信回路１４に出力するようになされている。
【００３４】
マルチプレクサ１３から出力されたＦＡＸ信号が多重化されているＴＶ放送信号は、送信回路１４を介してアンテナ２より出力されるようになされている。
【００３５】
次に、図２のフローチャートを参照してＴＶ放送装置１の処理動作について説明する。
【００３６】
ステップＳ１において、補完情報の表示の形態がアイコンによるものであるのか否かが判断される。
【００３７】
補完情報の表示の形態がアイコンによるものであると判断された場合、ステップＳ２で、アイコン表示信号発生回路１５は、出演者のプロフィールやロケ地情報等の補完情報をアイコンにより表示させるためのＦＡＸ信号を生成し、切換回路１７を介してマルチプレクサ１３に出力する。
【００３８】
一方、ステップＳ１で補完情報の表示の形態がアイコンによるものでないと判断された場合、ステップＳ３で、文字表示信号発生回路１６は、補完情報を簡易な図形と文字により表示させるためのＦＡＸ信号を生成し、切換回路１７を介してマルチプレクサ１３に出力する。
【００３９】
後続のステップＳ４で、マルチプレクサ１３は、ＴＶ信号発生回路１１から入力されたＴＶ音声信号にこのＦＡＸ信号を多重化させて音声多重信号を生成し、さらにＴＶ映像信号と多重化させ、送信回路１４に出力する。
【００４０】
このとき、マルチプレクサ１３により多重化される音声多重信号の一実施例のスペクトラムを、図３に示す。
【００４１】
図３に示すように、この音声多重信号においては、周波数帯域０乃至１５ＫＨｚに音声主チャンネル信号が配置されている。周波数帯域１６ＫＨｚ乃至４７ＫＨｚには、周波数２ｆＨ（ｆＨ：ＴＶの水平同期周波数（約１５．７５ＫＨｚ））の音声信号副搬送波Ｗ１を周波数変調した音声副チャンネル信号が、周波数帯域４７ＫＨｚ乃至６４．４ＫＨｚには、周波数３．５ｆＨの制御信号副搬送波Ｗ２を周波数変調した音声制御チャンネル信号が、さらに周波数帯域６４．４ＫＨｚ乃至７７．２ＫＨｚには、周波数４．５ｆＨのファクシミリ信号副搬送波Ｗ３を周波数変調したファクシミリ（ＦＡＸ）チャンネル信号が、それぞれ配置されている。
【００４２】
音声主チャンネル信号は、ステレオ放送の場合、Ｌ（左）＋Ｒ（右）の音声信号とされ、２ケ国語放送の場合、例えば、日本語の音声信号とされる。音声副チャンネル信号は、ステレオ放送の場合、Ｌ−Ｒの音声信号とされ、２ケ国語放送の場合、例えば、英語の音声信号とされる。
【００４３】
音声制御チャンネル信号は、受像機に２種類の音声多重放送（２ケ国語放送とステレオ放送）を判別させるための信号とされている。
【００４４】
ファクシミリチャンネル信号は、ＴＶ放送番組の補完情報を含む信号とされている。
【００４５】
このように、各帯域に配置された信号により、所定の周波数の音声信号主搬送波が、さらに周波数変調される。そして、所定の周波数の映像搬送波をＴＶ映像信号で振幅変調した信号と多重化される。
【００４６】
続いて、後続のステップＳ５で、マルチプレクサ１３から出力されたＴＶ放送信号は、送信回路１４で処理された後、アンテナ２を介して出力される。
【００４７】
図４は、本発明のＴＶ信号受像装置を応用したＴＶ受像機２１の一実施例の構成を示している。
【００４８】
ＴＶ放送番組の補完情報を含むＦＡＸ信号が多重化されているＴＶ放送信号は、ＴＶアンテナ２２で受信され、ＴＶ受像機２１のＴＶチューナ３１に入力されるようになされている。
【００４９】
ユーザがリモートコマンダ２３を操作すると、その操作に対応するＴＶ受像機２１の各種動作を指示する赤外線の指示信号が、ＴＶ受像機２１の受光部４１に入力されて電気信号に変換され、さらにマイクロコンピュータ３８に入力されるようになされている。
【００５０】
リモートコマンダ２３からの指示信号が、所定のＴＶ放送局の選局を指示するものであるとき、マイクロコンピュータ３８は、この指示信号に対応した選局命令をＴＶチューナ３１に出力するようになされている。
【００５１】
ＴＶチューナ３１は、マイクロコンピュータ３８からの命令に従い、指定されたＴＶ放送チャンネルのＴＶ放送信号を受信復調し、音声信号を音声デコード回路３２に、ＦＡＸ信号をＦＡＸ情報デコード回路３６に、映像信号を映像デコード回路３４に、それぞれ出力するようになされている。
【００５２】
音声デコード回路３２は、音声信号をデコードし、スピーカ３３に出力するようになされている。
【００５３】
映像デコード回路３４は、映像信号をデコードし、重畳回路３７に出力するようになされている。
【００５４】
ＦＡＸ情報デコード回路３６は、ＦＡＸ信号をデコードし、補完情報を表示させるためのデータをマイクロコンピュータ３８に出力するようになされている。
【００５５】
マイクロコンピュータ３８は、リモートコマンダ２３からの指示信号に対応してＴＶ受像機２１の各種制御を行うと共に、補完情報を表示させるためのデータ、表示画面情報、およびリモートコマンダ２３を介して入力される信号を分析処理し、ＯＳＤ表示に関する指示命令をＯＳＤ制御回路３９に出力するようになされている。
【００５６】
ＯＳＤ制御回路３９は、この指示命令に従って、表示画面に対応したアイコン表示や文字図形表示を行うためのＯＳＤ映像信号を生成し、重畳回路３７に出力するようになされている。このＯＳＤ映像信号の映像は、重畳回路３７により映像デコード回路３４からのＴＶ映像信号の映像に重畳されてＣＲＴ３５に出力されるようになされている。
【００５７】
図５は、図４に示すリモートコマンダ２３の一実施例の構成を表している。電源キーＫ１は、ＴＶ受像機２１に電源を投入するとき操作され、数字キーＫ２は、操作されたキーの数字に対応する、例えばＴＶ放送チャンネルを選局するとき操作され、音量ＵＰ／ＤＯＷＮキーＫ３は、音声出力を増大（または減少）するとき操作され、チャンネルＵＰ／ＤＯＷＮキーＫ４は、現在選局されているＴＶ放送チャンネルの次（または前）のチャンネルを選局するとき操作されるようになされている。
【００５８】
情報選択キーＫ５は、ＴＶ放送信号のＴＶ映像信号とＴＶ音声信号の出力処理を行うモード（ＴＶモード）と、ＴＶ音声信号に多重化されているＦＡＸ信号の処理を行うモード（補完情報モード）とを、交互に切り替えるときに操作されようになされている。例えば、ＴＶ放送信号のＴＶ映像信号がＣＲＴ３５から出力表示され、ＴＶ音声信号がスピーカ３３から出力されている状態（ＴＶモード）で、情報選択キーＫ５を１回押下すると、ＴＶモードから補完情報モードへ切り替わり、ＴＶ放送番組の補完情報を所定のキー操作により、ＣＲＴ３５にＴＶ映像と重畳させて表示させることができるようになる。さらにこの状態で、情報選択キーＫ５が１回操作されると、再び、ＴＶモードに切り替わり、ＣＲＴ３５に表示されていた補完情報が消去される。
【００５９】
十字キーＫ６は、十字キーＫ６に表示してある矢印の向きに情報箇所の選択位置を移動させるときに操作され、決定キーＫ７は、選択の決定を指示するとき操作されるようになされている。
【００６０】
動画／静止画キーＫ８は、情報箇所を動画表示状態で選択する動画モード（図１４を参照して後述）と静止画表示状態で選択する静止画モード（図８を参照して後述）とを、交互に切り替えるとき操作されるようになされている。
【００６１】
自動追尾キーＫ９は、動画表示状態において、所定の情報箇所を自動的に追尾する自動追尾モード（図１５を参照して後述）と情報箇所を追尾しないモードとを、交互に切り替えるとき操作されるようになされている。
【００６２】
十字キーＫ６、決定キーＫ７、動画／静止画キーＫ８、または自動追尾キーＫ９の操作による指示信号は、ＴＶ受像機２１が補完情報モードで動作しているときのみ、ＴＶ受像機２１で処理されるようになされている（ＴＶ受像機２１がＴＶモードで動作している場合は、これらのキーの操作による指示信号は無視される）。
【００６３】
図５に示すリモートコマンダ２３は、ＴＶ受像機２１が補完情報モードで動作している場合、さらに補完情報モードの下位モードの静止画モード、動画モード、または自動追尾モードのうち、いずれか１つの動作モードを指定できるようになされている。
【００６４】
自動追尾モードは、動画／静止画キーＫ８の操作により情報箇所の選択画面が動画表示状態にされたときに、自動追尾キーＫ９を操作した場合のモードである（情報箇所の選択画面が静止画表示状態であるときに、自動追尾キーＫ９を操作しても自動追尾モードとはならず、この場合の操作は無視される）。
【００６５】
次に、図６のフローチャートを参照して図５に示すリモートコマンダ２３の操作に対応するＴＶ受像機２１の処理動作について説明する。
【００６６】
ユーザが、図５に示すリモートコマンダ２３の電源キーＫ１の操作後、数字キーＫ２またはチャンネルキーＫ４の操作により所定のＴＶ放送チャンネルの選局を指示すると、図６のステップＳ１１で、リモートコマンダ２３からの指示信号がＴＶ受像機２１の受光部４１を介してマイクロコンピュータ３８に入力される。
【００６７】
これに対応して、マイクロコンピュータ３８は、ＴＶチューナ３１に対して指定されたＴＶ放送チャンネルの選局命令を出力する。この選局命令に従い、ＴＶチューナ３１は、所定のＴＶ放送チャンネル選択し、音声信号とＦＡＸ信号を音声デコード回路３２とＦＡＸ情報デコード回路３６に、それぞれ出力し、映像信号を映像デコード回路３４に出力する。
【００６８】
映像信号は、映像デコード回路３４でデコードされた後、重畳回路３７を介してＣＲＴ３５に出力表示される。また、音声デコード回路３２は、音声信号をデコードし、スピーカ３３に出力する。ＦＡＸ情報デコード回路３６は、ＦＡＸ信号をデコードした後、所定のＴＶ放送番組の補完情報を表示させるためのデータをマイクロコンピュータ３８に出力する。
【００６９】
このようにして、ＣＲＴ３５に表示されたＴＶ映像の表示例を図７に示す。この表示例では、男性と女性が映し出されている。
【００７０】
以上のようにして、指定されたＴＶ放送チャンネルのＴＶ映像信号がＣＲＴ３５から出力表示されると共に、ＴＶ音声信号がスピーカ３３から出力される。
【００７１】
この状態で、ユーザが、図５に示すリモートコマンダ２３の情報選択キーＫ５を１回押下すると、情報選択キーの操作に対応する指示信号が受光部４１を介してマイクロコンピュータ３８に入力され、図６のステップＳ１２で、この指示信号が補完情報モードでの動作を指示する指示信号であるのか否かが判断される。今の場合、ＴＶモードで、情報選択キーＫ５が操作されたのでＹＥＳの判定がなされ、後続のステップＳ１３で、情報箇所の選択画面は動画表示状態であるのか否かが判断される。今の場合、情報選択キーＫ５の操作の後、動画／静止画キーＫ８は操作されていないので情報箇所の選択画面はデフォルトの静止画表示状態であると判断され、ステップＳ１４の静止画モード処理が実行される。
【００７２】
ここで、図６のステップＳ１４の処理を図８のフローチャートを参照して説明する。
【００７３】
図８のステップＳ２１で、マイクロコンピュータ３８は、映像デコード回路３４を制御し、今ＣＲＴ３５に出力しているフレームのデータを、内蔵するメモリに記憶させ、以後、その記憶データを繰り返し読み出して出力させる。これにより、ＣＲＴ３５には静止画が表示される。
【００７４】
次に、ステップＳ２２で、マイクロコンピュータ３８は、ＦＡＸ情報デコード回路３６から入力された情報のうち、ステップＳ２１で記憶した静止画に対応する位置情報を基に、情報箇所を選択させるためのＯＳＤ映像信号の生成命令をＯＳＤ制御回路３９に出力する。ＯＳＤ制御回路３９は、この指令に対応して、所定の（例えば、画面上、最も左上に位置する）情報箇所を選択していることを示す選択マークのＯＳＤ映像信号を生成し、重畳回路３７に出力する。重畳回路３７は、映像デコード回路３４より供給された静止画像に、ＯＳＤ制御回路３９より供給された選択マークの映像を重畳し、ＣＲＴ３５に出力する。すなわち、このときＣＲＴ３５に表示される情報箇所の選択画面は、ＯＳＤ映像が重畳された静止画像となっている。
【００７５】
このようにして、ＣＲＴ３５に出力表示される情報箇所の選択画面の一実施例を図９に示す。枠Ａは、選択マークの一表示形態であり、情報箇所が画面上で小さな面積を占める場合に表示され、枠Ａで囲まれた情報箇所が現在選択されていることを示している。図９に示す例では、枠Ａ内の男性のメガネが選択されている。
【００７６】
また、情報箇所が画面上で大きな面積を占める場合の表示例を図１０に示す。図１０に示す十字カーソルＢは、選択マークの他の表示形態であり、十字カーソルＢをその領域に含む情報箇所が選択されていることを示している。図１０に示す例では、男性の洋服が選択されている。
【００７７】
さらに、情報箇所同士が接近している場合の表示例を図１１に示す。図１１に示すカーソルＣは、選択マークのさらに他の表示形態であり、カーソルＣの矢印が指す情報箇所が選択されていることを示している。図１１に示す例では、女性のネックレスが選択されている。
【００７８】
情報箇所が選択されていることを示す枠Ａ、十字カーソルＢ、またはカーソルＣのうち、いずれの選択マークを表示するかの判断は、マイクロコンピュータ３８が情報箇所毎に適宜判断し、ＯＳＤ制御回路３９に指示する。
【００７９】
図８のステップＳ２３において、例えば図９に示す画面で、ユーザが十字キーＫ６を操作すると、十字キーＫ６の操作に対応した指示信号がマイクロコンピュータ３８に入力される。マイクロコンピュータ３８は、指定された方向の情報箇所に選択マークを移動させるＯＳＤ映像信号をＯＳＤ制御回路３９に生成させ、重畳回路３７を介してＣＲＴ３５に出力させる。
【００８０】
例えば、図９に示す状態で十字キーＫ６の下方向を１回押下すると図１０に示すように、男性の洋服が選択され、さらに十字キーＫ６の右方向を１回押下すると、図１２に示す画面が表示される。図１２に示す表示例では、男性のネクタイが選択されている。さらにまた、十字キーＫ６の右方向を１回押下すると、女性の洋服が選択され、その後、十字キーＫ６の右方向を１回押下すると、図１１に示すように女性のネックレスが選択される。
【００８１】
このようにして、十字キーＫ６の操作により選択マークを移動させ、情報箇所を任意に選択することができる。このとき選択マークは、補完情報が対応されている情報箇所に対してのみ移動される。
【００８２】
次に、ステップＳ２４で、例えば、図９に示す画面を表示している状態（男性のメガネが選択されている状態）で、ユーザが決定キーＫ７を押下すると、決定キーＫ７の操作に対応する指示信号がマイクロコンピュータ３８に入力される。マイクロコンピュータ３８は、この指示信号に対応して、選択されている情報箇所の補完情報を表示させるためのデータをＯＳＤ制御回路３９に出力する。
【００８３】
続いて、ステップＳ２５で、ＯＳＤ制御回路３９は、このデータを基に補完情報のＯＳＤ映像信号を生成し、重畳回路３７に出力する。
【００８４】
このようにして、ＣＲＴ３５に出力表示された補完情報の表示例を図１３に示す。
【００８５】
図１３に示す画面表示の例においては、情報箇所の選択画面（図９）で男性のメガネが選択されていたので、男性のメガネの補完情報が表示されている。また、枠Ａは、その色が図９に示す場合の色から変化し（または点滅し）、枠内の情報箇所の補完情報が表示されていることを表す。
【００８６】
このようにして、ユーザは、ＴＶ放送番組を見ていて、例えば、その登場人物のメガネに関する情報を知りたいと思ったとき、上述した操作を行うことで、その情報を直ちに得ることができる。
【００８７】
ステップＳ２６で、ユーザは、他に表示させたい補完情報があるか否かを判断する。他に表示させたい補完情報があると判断した場合、ステップＳ２３で、再び十字キーＫ６を操作して情報箇所の選択処理を実行する。このとき、ユーザが十字キーＫ６の操作を行うとステップＳ２３で、マイクロコンピュータ３８は、情報箇所の補完情報の表示を消去させる指示命令をＯＳＤ制御回路３９に出力し、その結果、図１３に示す補完情報の表示が消え、図９乃至図１２に示すような情報箇所の選択画面が表示される。
【００８８】
ステップＳ２６で、表示させたい補完情報が他にないと判断した場合、図８に示すサブルーチン処理が終了し、図６のステップＳ１８で、ユーザが再び、情報選択キーＫ５を押下する。このとき、マイクロコンピュータ３８は、ＴＶ受像機２１の動作モードを、補完情報モード（静止画モード）からＴＶモードに切り換え（ＯＳＤ制御回路３９にＯＳＤ映像信号の出力を停止させ、映像デコード回路３４にＴＶ映像信号を出力させる）、その結果、ＣＲＴ３５に図７に示すようなＴＶ映像信号の映像出力画面が表示される。
【００８９】
次に、動画モード処理の場合の操作とそれに対応する処理動作について説明する。
【００９０】
図７に示す画面出力の状態（図６のステップＳ１１の処理が終了した状態）で、ユーザが、図５に示すリモートコマンダ２３の情報選択キーＫ５を１回押下した後、続いて動画／静止画キーＫ８を押下すると、この操作に対応する指示信号がマイクロコンピュータ３８に入力され、図６のステップＳ１２で、ＹＥＳの判定がなされ、今の場合、動画／静止画キーＫ８が操作されたのでステップＳ１３で、ＹＥＳの判定がなされ、ステップＳ１５に分岐する。
【００９１】
ステップＳ１５で、情報箇所の自動追尾を行うか否かが判断され、今の場合、自動追尾キーＫ９が操作されていないので、ＮＯの判定がなされ、ステップＳ１６の動画モード処理が実行される。
【００９２】
ここで、図６のステップＳ１６の処理を図１４のフローチャートを参照して説明する。図１４のステップＳ２３乃至ステップＳ２６に示す処理は、図８のステップＳ２３乃至ステップＳ２６に示す処理と同様の処理であり、図１４において、図８の場合と対応するステップ名には同一のステップ名を付してあり、その説明は、適宜省略する。
【００９３】
図１４のステップＳ３１で、マイクロコンピュータ３８は、補完情報を表示させるためのデータと位置情報を基に、選択マークを表示させるためのＯＳＤ映像信号の生成命令をＯＳＤ制御回路３９に出力する。この命令に対応して、ＯＳＤ制御回路３９は、情報選択キーＫ５が操作されたとき表示されていた画像中の所定の情報箇所に選択マークを表示させるＯＳＤ映像信号を生成し、重畳回路３７に出力する。重畳回路３７は、選択マークを表示させるＯＳＤ映像信号の映像に映像デコード回路３４から供給されるＴＶ映像信号の映像を重畳してＣＲＴ３５に出力する。すなわち、このときＣＲＴ３５に表示される情報箇所の選択画面は、ＯＳＤ映像が重畳された動画像となっている。
【００９４】
このとき、選択マークの表示位置は変化しないのに対して、情報箇所は動画像なので、その表示位置が変化し、両者の間に表示位置のずれが発生する。しかしながら、情報箇所の表示位置があまり変化しなければ、そのずれは小さくて済む。
【００９５】
次に、ステップＳ２３で、ユーザが十字キーＫ６を操作し、動画表示状態の情報箇所の選択画面で目的の情報箇所を選択し、ステップＳ２４で、決定キーＫ７を操作して情報箇所の選択を決定し、ステップＳ２５で、その情報箇所に対応した補完情報を表示させる。
【００９６】
ステップＳ２６で、ユーザは、他の表示させたい補完情報があるか否かを判断し、その他の表示させたい補完情報がある場合はステップＳ２３以降の処理を繰り返し実行する。表示させたい補完情報がない場合は図１４のフローチャートの処理が終了し、図６のステップＳ１８で、ユーザは情報選択キーＫ５を押下してＴＶモードに切り換える。
【００９７】
次に、自動追尾モードの場合の操作とそれに対応する処理動作について説明する。
【００９８】
図７に示す画面出力の状態（図６のステップＳ１１の処理が終了した状態）で、ユーザが、図５に示すリモートコマンダ２３の情報選択キーＫ５を１回押下した後、続いて動画／静止画キーＫ８と自動追尾キーＫ９を押下すると、この操作に対応する指示信号がマイクロコンピュータ３８に入力され、図６のステップＳ１２で、ＹＥＳの判定がなされ、今の場合、動画／静止画キーＫ８と自動追尾キーＫ９が操作されたのでステップＳ１３で、ＹＥＳの判定がなされ、さらに、ステップＳ１５でＹＥＳの判定がなされステップＳ１７の自動追尾モード処理が実行される。
【００９９】
ここで、図６のステップＳ１７の処理を図１５のフローチャートを参照して説明する。
【０１００】
図１５のステップＳ４１で、マイクロコンピュータ３８は、自動追尾モードを設定し、位置情報と補完情報を基に、表示画面の変化に対応して所定の情報箇所を追尾して選択マークを表示させるためのＯＳＤ映像信号をＯＳＤ表示制御回路３９に生成出力させる。すなわち、選択マークをフレーム毎に更新させる。このようにして、選択している情報箇所が画面上にあるときはＴＶ映像の変化（動画）に対応して、自動的に所定の情報箇所に選択マークが追尾して表示される。
【０１０１】
続いて、ステップＳ２３乃至ステップＳ２６で、ユーザが十字キーＫ６の操作により目的の情報箇所を選択し、決定キーＫ７の押下により情報箇所の補完情報を表示させる。ステップＳ２３乃至ステップＳ２６に示す処理は、図８に示した処理と同様の処理であるため、その説明は省略する。
【０１０２】
表示させたい他の補完情報がない場合、ステップＳ４２で、ユーザが自動追尾キーＫ９を押下すると、マイクロコンピュータ３８が自動追尾キーＫ９の押下に対応した指示信号の入力を受け、表示画面の変化に対応した情報箇所の追尾を停止させる命令をＯＳＤ制御回路３９に出力する。その結果、動画像モードと同様の処理となり、その後、ユーザは図６のステップＳ１８で、情報選択キーＫ５を操作し、ＴＶモードに切り換える。
【０１０３】
なお、図１５に示す自動追尾モードの例では、情報選択キーＫ５の押下によりＴＶモードから補完情報モード（静止画モード）となり、さらに動画／静止画キーＫ８と自動追尾キーＫ９の押下により自動追尾モードになるとしたが、自動追尾キーＫ９の押下によりＴＶモードから直接、自動追尾モードとなるようにしてもよい。その場合、情報選択キーＫ５の操作は不要であり、再び、自動追尾キーＫ９を押下するとＴＶモードに切り替わる。
【０１０４】
図１６は、リモートコマンダ２３の第２の実施例の構成を示している。図１６に示すリモートコマンダ２３において、図５の場合と対応する部分には同一の符号を付してあり、その説明は適宜省略する。
【０１０５】
このリモートコマンダ２３には、ポイントキーＫ１０が設けられている。ポイントキーＫ１０は、リモートコマンダ２３から光ビームが出射されるポイントモード（図１９を参照して後述）と光ビームが出射されないモードとを交互に切り替えるとき操作されるようになされている。
【０１０６】
図１６に示すリモートコマンダ２３は、ＴＶ受像機２１が補完情報モードで動作している場合、さらに補完情報モードの下位モードの静止画モード、動画モード、自動追尾モード、静止画＋ポイントモード、動画＋ポイントモード、または動画＋自動追尾＋ポイントモードのうち、いずれか１つの動作モードを指定できるようになされている。
【０１０７】
リモートコマンダ２３が、図１６に示すように構成される場合、ＴＶ受像機２１は図１７に示すように構成される。すなわち、可視光線検知回路４０が、ＣＲＴ３５の表示画面上における光ビームの照射位置を検知し、その位置情報をマイクロコンピュータ３８に出力するようになされている。
【０１０８】
次に、図１８のフローチャートを参照して図１６に示すリモートコマンダ２３の操作に対応する図１７のＴＶ受像機２１の処理動作について説明する。図１８のステップＳ５１、ステップＳ５２、ステップＳ５５、およびステップＳ５７に示す処理は、それぞれ、図６のステップＳ１１、ステップＳ１２、ステップＳ１３、およびステップＳ１５に示す処理と同様の処理であるため、その説明は適宜省略する。
【０１０９】
ユーザが、図１６に示すリモートコマンダ２３の電源キーＫ１の操作後、数字キーＫ２またはチャンネルキーＫ４の操作により所定のＴＶ放送チャンネルの選局を指示すると、図１８のステップＳ５１で、ＴＶ映像がＣＲＴ３５に出力され、ＴＶ音声がスピーカ３３に出力される（図７に示す画面出力の状態）。
【０１１０】
この状態で、ユーザが、リモートコマンダ２３の情報選択キーＫ５を押下した後、ポイントキーＫ１０を操作しない場合はステップＳ５２でＹＥＳの判定がなされ、さらにステップＳ５３で、光ビームの照射位置の移動による動作を行うか否かが判断され、今の場合、ＮＯの判定がなされ、ステップＳ５４で、十字キーＫ６の操作による処理が実行される。ステップＳ５４に示す処理は、図６のステップＳ１３乃至ステップＳ１７に示す処理と同様の処理であるためその説明は省略する。
【０１１１】
次に、静止画＋ポイントモードの場合の操作とそれに対応する処理動作について説明する。
【０１１２】
図７に示す画面出力の状態（図１８のステップＳ５１の処理が終了した状態）で、ユーザが、図１６に示すリモートコマンダ２３の情報選択キーＫ５を１回押下した後、続いてポイントキーＫ１０を押下すると、この操作に対応する指示信号がマイクロコンピュータ３８に入力され、ステップＳ５２で、ＹＥＳの判定がなされ、今の場合、ポイントキーＫ１０が操作されたのでステップＳ５３で、ＹＥＳの判定がなされ、ステップＳ５５でＮＯの判定がなされ、ステップＳ５６の処理を実行する。
【０１１３】
ここで、図１８のステップＳ５６の処理を図１９のフローチャートを参照して説明する。
【０１１４】
図１９のステップＳ８１で、映像デコード回路３４は、今ＣＲＴ３５に出力しているフレームのデータをメモリに記憶し、そのデータを読み出して出力することで、ＣＲＴ３５に静止画を表示させる。ステップＳ８２では、ポイントキーＫ１０の押下と共にリモートコマンダ２３から可視光の光ビームが出射される。また、このとき、マイクロコンピュータ３８は、ＴＶ放送番組の補完情報を表示させるデータと位置情報を基に、選択マークを表示させるためのＯＳＤ映像信号の生成命令をＯＳＤ制御回路３９に出力する。ＯＳＤ制御回路３９は、所定の情報箇所に選択マークを表示させるＯＳＤ映像信号を生成し、重畳回路３７に出力する。このときＣＲＴ３５に表示される映像は、静止画モードの場合と同様に、ＯＳＤ映像が重畳された静止画像である。
【０１１５】
そして、その光ビームがＣＲＴ３５の表示画面上を照射すると、ステップＳ８３で、可視光線検知回路４０は、ＣＲＴ３５の画面上の光ビームの照射位置を検知し、照射の位置情報をマイクロコンピュータ３８に出力する。マイクロコンピュータ３８は、この位置情報を分析して光ビームの照射位置がいずれかの情報箇所に照射されているか否かを判断する。
【０１１６】
光ビームの照射位置が情報箇所のいずれにも照射されていないと判断された場合、ステップＳ８４で、マイクロコンピュータ３８は、照射位置に最も近い１つの情報箇所を選択し、ＯＳＤ制御回路３９に対し、その情報箇所に選択マークを表示させるＯＳＤ映像信号を出力させる。
【０１１７】
光ビームの照射位置が情報箇所のいずれかを照射しているときは、ステップＳ８５で、その情報箇所に選択マークが表示される。
【０１１８】
次に、ステップＳ８６で、ユーザがリモートコマンダ２３の指向方向を動かし、光ビームの照射位置をＣＲＴ３５の画面上で移動させると、可視光線検知回路４０が、移動した光ビームの照射位置を検知して、その位置情報をマイクロコンピュータ３８に出力する。マイクロコンピュータ３８は、再び、この位置情報を基に、対応する情報箇所に選択マークを表示させるＯＳＤ映像信号をＯＳＤ制御回路３９に生成出力させる。このとき、光ビームの照射位置に情報箇所がない場合はステップＳ８３の処理と同様に、照射位置近傍の情報箇所が選択され、そこに選択マークが表示される。
【０１１９】
この状態で、ＣＲＴ３５に表示される表示画面は、図９乃至図１２に示すような情報箇所の選択画面である。
【０１２０】
このようにして、リモートコマンダ２３の十字キーＫ６を操作する代わりに、リモートコマンダ２３から出射される光ビームの照射位置を移動させることで、情報箇所の選択を行う。
【０１２１】
ユーザが、光ビームの照射位置の移動により目的の情報箇所を選択し、ステップＳ８７で、決定キーＫ７を押下すると、ステップＳ８８で、目的の情報箇所の補完情報が表示される（例えば、図９に示す画面の状態で決定キーＫ７を押下すると、図１３に示す画面が表示される）。なお、ステップＳ８７とステップＳ８８に示す処理は、それぞれ、図８のステップＳ２４とステップＳ２５に示す処理と同様の処理であるので、その説明は省略する。
【０１２２】
ステップＳ８９で、ユーザは、他の補完情報を表示させるか否かを判断し、他の補完情報を表示させると判断した場合、ステップＳ８３以降の処理を繰り返し実行する。このとき、光ビームの照射位置が選択している情報箇所から移動すると、図１３に示す補完情報の表示が消え、図９乃至図１２に示すような情報箇所の選択画面が表示される。
【０１２３】
ステップＳ８９で、ユーザが表示させたい補完情報が他にないと判断した場合は、ステップＳ９０で、ポイントキーＫ１０を押下し、リモートコマンダ２３からの光ビームの出射を停止させる。そして、図１８のステップＳ６０で、ユーザが再び、情報選択キーＫ５を押下すると、ＴＶモードに切り換わる。図１８のステップＳ６０に示す処理は、図６のステップＳ１８に示す処理と同様の処理であるため、その説明は省略する。
【０１２４】
なお、図１９に示すフローチャートの説明では、ＴＶ受像機２１は、情報選択キーＫ５の押下により補完情報モードで動作し、さらに、ポイントキーＫ１０の押下により静止画＋ポイントモードで動作するとしたが、ポイントキーＫ１０の押下によりリモートコマンダ２３から光ビームが出射され、照射位置で情報箇所を選択して（この状態では、図７に示す画面に光ビームが照射されている状態となる）、情報選択キーＫ５を押下すると選択マークが表示され、決定キーＫ７の押下により情報箇所の補完情報が表示されるようにしてもよい。この場合、補完情報が表示された状態（図１３に示す画面）で、他の補完情報を表示させるときには、情報選択キーＫ５の押下によりＴＶモードに戻した後、再び、上記の操作を行う。また、誤操作により目的としない情報箇所で情報選択キーＫ５を押下した場合（選択マークのついた情報箇所を変更する場合）も、同様に情報選択キーＫ５の押下によりＴＶモードに戻した後、上記の操作を行うようにする。
【０１２５】
なお、この実施例では、情報箇所の選択に光ビームを使用したが、エアーマウス等を用いて選択してもよい。
【０１２６】
次に、動画＋ポイントモード処理の場合の操作とそれに対応する処理動作について説明する。
【０１２７】
図７に示す画面出力の状態（図１８のステップＳ５１の処理が終了した状態）で、ユーザが、図１６に示すリモートコマンダ２３の情報選択キーＫ５を１回押下した後、続いてポイントキーＫ１０と動画／静止画キーＫ８を押下すると、この操作に対応する指示信号がマイクロコンピュータ３８に入力され、図１８のステップＳ５２で、ＹＥＳの判定がなされ、今の場合、ポイントキーＫ１０と動画／静止画キーＫ８が操作されたのでステップＳ５３で、ＹＥＳの判定がなされ、さらにステップＳ５５で、ＹＥＳの判定がなされステップＳ５７に分岐する。
【０１２８】
ステップＳ５７で、情報箇所の自動追尾を行うか否かが判断され、今の場合、自動追尾キーＫ９の操作が行われていないので、ＮＯの判定がなされ、ステップＳ５８の動画＋ポイントモード処理が実行される。
【０１２９】
ここで、図１７のステップＳ５８の処理を図２０のフローチャートを参照して説明する。図２０のステップＳ８３乃至ステップＳ９０に示す処理は、図１９のステップＳ８３乃至ステップＳ９０に示す処理と同様の処理であり、図２０において、図１９の場合と対応するステップ名には同一のステップ名を付してあり、その説明は、適宜省略する。
【０１３０】
図２０のステップＳ９１で、ポイントキーＫ１０の押下と共にリモートコマンダ２３から光ビームが出射される。また、このとき、マイクロコンピュータ３８は、ＴＶ放送番組の補完情報を表示させるためのデータと位置情報を基に、選択マークを表示させるためのＯＳＤ映像信号の生成命令をＯＳＤ制御回路３９に出力する。この命令に対応して、ＯＳＤ制御回路３９は、所定の情報箇所に選択マークを表示させるＯＳＤ映像信号を生成し、重畳回路３７に出力する。重畳回路３７は、選択マークを表示させるＯＳＤ映像信号の映像に映像デコード回路３４から供給されるＴＶ映像信号の映像を重畳してＣＲＴ３５に出力する。このときＣＲＴ３５に表示される情報箇所の選択画面は、ＯＳＤ映像が重畳された動画像である。
【０１３１】
そして、以後、ステップＳ８３乃至ステップＳ９０で、光ビームをＣＲＴ３５の表示画面上に照射して、所望の補完情報を表示させる処理は、図１９における場合と同様である。
【０１３２】
次に、動画＋自動追尾＋ポイントモードの場合の操作とそれに対応する処理動作について説明する。
【０１３３】
図７に示す画面出力の状態（図１８のステップＳ５１の処理が終了した状態）で、ユーザが、図１６に示すリモートコマンダ２３の情報選択キーＫ５を１回押下した後、続いて動画／静止画キーＫ８、自動追尾キーＫ９、およびポイントキーＫ１０を押下すると、この操作に対応する指示信号がマイクロコンピュータ３８に入力され、ステップＳ５２で、ＹＥＳの判定がなされ、今の場合、動画／静止画キーＫ８、自動追尾キーＫ９、およびポイントキーＫ１０が操作されたのでステップＳ５３で、ＹＥＳの判定がなされ、ステップＳ５５でＹＥＳの判定がなされ、さらにステップＳ５７でＹＥＳの判定がなされ、ステップＳ５９の動画＋自動追尾＋ポイントモード処理が実行される。
【０１３４】
ここで、図１７のステップＳ５９の処理を図２１のフローチャートを参照して説明する。
【０１３５】
図１７のステップＳ１０１で、マイクロコンピュータ３８は、位置情報と補完情報を基に、表示画面の変化に対応して所定の情報箇所を追尾して選択マークを表示させるためのＯＳＤ映像信号をＯＳＤ表示制御回路３９に生成出力させる。このようにして、選択している情報箇所が画面上にあるときはＴＶ映像の変化（動画）に対応して、自動的に所定の情報箇所に選択マークが追尾して表示される。
【０１３６】
続いて、ステップＳ９１とステップＳ８３乃至ステップＳ９０で、図２０における場合と同様の処理が行われる。その処理は、図２０に示した処理と同様の処理であるため、その説明は省略する。
【０１３７】
ステップＳ１０２で、ユーザが自動追尾キーＫ９を押下すると、マイクロコンピュータ３８が自動追尾キーＫ９の押下に対応した指示信号を入力し、表示画面の変化に対応した情報箇所の追尾を停止させる命令をＯＳＤ制御回路３９に出力する。その結果、動画像モードの場合と同様の処理となり、その後、ユーザは図１８のステップＳ６０で、情報選択キーＫ５を操作し、ＴＶモードに切り換える。
【０１３８】
図２２は、リモートコマンダ２３の第３の実施例の構成を示している。
【０１３９】
図２２に示すリモートコマンダ２３は、情報箇所の選択と補完情報の表示をアイコンを用いて行う場合にＴＶ受像機２１の動作を指示するようになされている。図２２に示すリモートコマンダ２３において、図５の場合と対応する部分に同一の符号を付してあり、その説明は適宜省略する。
【０１４０】
図２２に示すリモートコマンダ２３は、ＴＶ受像機２１が補完情報モードで動作している場合、さらに補完情報モードの下位モードのアイコン＋静止画モードまたはアイコン＋動画モードのうち、いずれか１つの動作モードを指定できるようになされている。
【０１４１】
次に、図２３のフローチャートを参照して図２２に示すリモートコマンダ２３の操作に対応するＴＶ受像機２１の処理動作について説明する。図２３のステップＳ１１１、ステップＳ１１２、およびステップＳ１１３に示す処理は、それぞれ、図６のステップＳ１１、ステップＳ１２、およびステップＳ１３に示す処理と同様の処理であるため、その説明は適宜省略する。
【０１４２】
ユーザが、図２２に示すリモートコマンダ２３の電源キーＫ１の操作後、数字キーＫ２またはチャンネルキーＫ４の操作により所定のＴＶ放送チャンネルの選局を指示すると、図２３のステップＳ１１１で、ＴＶ映像がＣＲＴ３５に出力され、ＴＶ音声がスピーカ３３に出力される（図７に示す画面出力の状態）。
【０１４３】
この状態で、ユーザが、リモートコマンダ２３の情報選択キーＫ５を押下した後、動画／静止画キーＫ８を操作しない場合はステップＳ１１２でＹＥＳの判定がなされ、さらにステップＳ１１３でＮＯの判定がなされ、ステップＳ１１４に示す処理を実行する。
【０１４４】
ここで、図２３のステップＳ１１４の処理を図２４のフローチャートを参照して説明する。
【０１４５】
図２４のステップＳ１２１で、マイクロコンピュータ３８は、音声デコード回路３２を制御し、静止画表示を実行させる。次に、ステップＳ１２２で、マイクロコンピュータ３８は、ＴＶ放送番組の補完情報を表示させるためのデータと位置情報を基に、情報箇所に対応するアイコンを表示させるためのＯＳＤ映像信号の生成命令をＯＳＤ制御回路３９に出力する。また、マイクロコンピュータ３８は、所定（デフォルト）のアイコンを指すカーソルＤを表示させるためのＯＳＤ映像信号をＯＳＤ制御回路３９に生成出力させる。ＯＳＤ制御回路３９は、アイコンとカーソルＤの表示のためのＯＳＤ映像信号を生成し、重畳回路３７に出力する。これにより、ＣＲＴ３５には、情報箇所に対応するアイコンの映像が重畳された静止画像が表示される。
【０１４６】
このようにして、ＣＲＴ３５に表示されるアイコンによる情報箇所の選択画面の表示例を図２５に示す。
【０１４７】
図２５の画面例では、ＴＶ映像画面に含まれる各情報箇所がアイコンメニューＡの中のアイコンで表されており、アイコンメニューＡは、画面の右端に縦方向に表示されている。
【０１４８】
このアイコンメニューＡを拡大したものを図２６に示す。
【０１４９】
図２６のアイコンメニューＡに示すように、１画面分の情報箇所が各アイコンで表されている。図２６に示すアイコンメニューＡにおいては、情報箇所は男性を示すアイコンＡ１と女性を示すアイコンＡ２となっている。また、図２６の例では、情報箇所に対応するアイコンは６個まで表示することが可能であるが、１画面にそれ以上の情報箇所を含む場合、前のアイコンメニューを表示する前ページ機能Ｆ１と次のアイコンメニューを表示する後ページ機能Ｆ２を選択して、アイコンメニューを変更することにより、多くの情報箇所に対応することができる。
【０１５０】
また、図２６（図２５）の表示例においては、カーソルＤは、各アイコンと対応する大きさとされ、選択されたアイコンを他のアイコンと異なる色や輝度で表示させることで構成されている。
【０１５１】
図２７は、アイコンによる情報箇所の選択画面の第２の実施例を表している。図２７に示すアイコンメニューＡは、画面の下方に、横方向に配置されている。
【０１５２】
図２４のフローチャートの説明に戻り、ステップＳ１２３で、ユーザは、目的の情報箇所に対応するアイコンが表示されているか否かを判断し、目的のアイコンが表示されていないと判断した場合、ステップＳ１２４の操作を行う。
【０１５３】
ステップＳ１２４で、ユーザは、十字キーＫ６の操作によりカーソルＤを次ページ機能Ｆ１または前ページ機能Ｆ２の位置まで移動させ、決定キーＫ７を押下する。ユーザが十字キーＫ６を操作すると、マイクロコンピュータ３８から対応する指示命令がＯＳＤ制御回路３９に出力され、カーソルＤを指定された方向に移動させるＯＳＤ映像信号が出力される。このようにして、十字キーＫ６の操作に対応してカーソルＤが移動する。次に、ユーザが決定キーＫ７を押下すると、マイクロコンピュータ３８は、カーソルＤの位置に対応してアイコンメニューＡの表示を変更させる指示命令をＯＳＤ制御回路３９に出力し、アイコンメニューＡの表示内容を変更させる。
【０１５４】
次に再び、ステップＳ１２３で、ユーザは目的の情報映像要素に対応するアイコンが表示されているか否かを判断し、目的のアイコンが表示されていると判断した場合、ステップＳ１２５で、十字キーＫ６の操作によりカーソルＤを目的のアイコンの位置まで移動させ、決定キーＫ７を押下する（今、ユーザの選択したアイコンは図２６のアイコンＡ１であるとする）。
【０１５５】
このとき、マイクロコンピュータ３８は、ステップＳ１２６で、カーソルＤの位置により、ユーザの選択したアイコンを判断し、そのアイコンがさらに下位のアイコン表示を行うためのアイコン（階層型アイコン）であるのか否かを判断する。今の場合、アイコンＡ１は階層型アイコンであるので、ＹＥＳの判定がなされステップＳ１２７に分岐し、ステップＳ１２７で、マイクロコンピュータ３８は、この階層型アイコンに対応するアイコンメニューを表示させるためのＯＳＤ映像信号をＯＳＤ制御回路３９に出力させる。
【０１５６】
このようにして、図２６に示すアイコンＡ１を選択したときに表示されるアイコンメニューの表示例を図２８に示す。
【０１５７】
図２８の例では、アイコンメニューは、それぞれ、メガネ、ネクタイ、洋服の情報箇所、および男性のプロフィールを示すアイコンＡ１１乃至アイコンＡ１４で構成されている。前アイコン機能Ｆ３は、ユーザがこの位置にカーソルＤを移動させ、決定キーＫ７を押下すると１つ前のアイコンメニュー（図２６に示すアイコン）を表示させるためのアイコンである。
【０１５８】
次に、目的の補完情報の情報箇所が男性のメガネ（アイコンＡ１１）である場合、ステップＳ１２３でＹＥＳの判定がなされ、ステップＳ１２５で、ユーザがアイコンＡ１１にカーソルを移動させ、決定キーＫ７を押下すると、ステップＳ１２６で、アイコンＡ１１は階層型ではないのでＮＯの判定がなされ、後続のステップＳ１２８に分岐する。
【０１５９】
ステップＳ１２８で、マイクロコンピュータ３８は、選択されたアイコンに対応する情報箇所のアイコン表示の補完情報をＯＳＤ制御回路３９に出力する。ＯＳＤ制御回路３９は、このアイコン表示の補完情報を基にＯＳＤ映像信号を生成して出力する。
【０１６０】
このようにして、ＣＲＴ３５に表示されたアイコン表示の補完情報の表示例を図２９に示す。
【０１６１】
図２９に示すように、この補完情報はアイコンで表示されており、アイコンＡ１１１は図２８のアイコンＡ１１（男性のメガネ）に対する補完情報を表している。
【０１６２】
続いて、ステップＳ１２９で、ユーザは、その他の補完情報を表示するか否かを判断し、その他に補完情報を表示する場合は、ステップＳ１３０で、前アイコン機能Ｆ３の位置にカーソルＤを移動させ、決定キーを押下する。このとき、マイクロコンピュータ３８は、１つ前に表示したアイコンメニューを選択し、ＯＳＤ制御回路３９に対して、このアイコンメニューを表示させる指示命令を出力する。この指示命令に対応してＯＳＤ制御回路３９は、所定のアイコンメニューを表示するためのＯＳＤ映像信号を生成出力する。ユーザは、ＣＲＴ３５に表示されたアイコンメニューに目的のアイコンが存在しない場合、再び、前アイコン機能Ｆ３を選択し、目的のアイコンが存在するアイコンメニューが表示されるまでこの操作を繰り返す。ＴＶ受像機２１は、ユーザの前アイコン機能Ｆ３の選択毎に上記の動作を行う。
【０１６３】
続いて、ステップＳ１２３に戻り、それ以降の処理が繰り返し実行されることにより目的の補完情報が表示される。
【０１６４】
ステップＳ１２９で、ユーザがその他の補完情報を表示しないと判断した場合、ステップＳ１３１で、アイコン表示キーＫ１０を押下する。マイクロコンピュータ３８は、アイコン表示キーＫ１０の操作に対応する指示信号の入力を受けると、ＯＳＤ制御回路３９に対しアイコン表示の消去を指示し、ＯＳＤ制御回路３９はこれに対応してＯＳＤ映像信号の出力を停止する。その結果、アイコンの表示がＣＲＴ３５から消去される。
【０１６５】
以上の操作により図２４に示すサブルーチン処理が終了し、図２３のステップＳ１１６で、ユーザが再び、情報選択キーＫ５を押下すると、ＴＶモードに切り換わる。ステップＳ１１６の処理は、図６のステップＳ１８の処理と同様の処理であるのでその説明は省略する。
【０１６６】
次に、アイコン＋動画モード処理の場合の操作とそれに対応する処理動作について説明する。
【０１６７】
図７に示す画面出力の状態（図２３のステップＳ１１１の処理が終了した状態）で、ユーザが、図２２に示すリモートコマンダ２３の情報選択キーＫ５を１回押下した後、続いて動画／静止画キーＫ８を押下すると、この操作に対応する指示信号がマイクロコンピュータ３８に入力され、図２３のステップＳ１１２で、ＹＥＳの判定がなされ、今の場合、動画／静止画キーＫ８が操作されたのでステップＳ１１３で、ＹＥＳの判定がなされ、ステップＳ１１５のアイコン＋動画モード処理が実行される。
【０１６８】
ここで、図２３のステップＳ１１５の処理を図３０のフローチャートを参照して説明する。図３０のステップＳ１２３乃至ステップＳ１３１に示す処理は、図２４のステップＳ１２３乃至ステップＳ１３１に示す処理と同様の処理であり、図３０において、図２４の場合と対応するステップ名には同一のステップ名を付してあり、その説明は、適宜省略する。
【０１６９】
図３０のステップＳ１４１で、マイクロコンピュータ３８は、補完情報を表示させるためのデータと位置情報を基に、選択マークを表示させるためのＯＳＤ映像信号（アイコンメニューとカーソルＤを表示させる信号）の生成命令をＯＳＤ制御回路３９に出力する。この命令に対応して、ＯＳＤ制御回路３９は、アイコンメニューとカーソルＤを表示させるＯＳＤ映像信号を生成し、重畳回路３７に出力する。重畳回路３７は、選択マークを表示させるＯＳＤ映像信号に映像デコード回路３４から供給されるＴＶ映像信号の映像を重畳してＣＲＴ３５に出力する。このときＣＲＴ３５に表示されるアイコン表示の情報箇所の選択画面は、ＯＳＤ映像が重畳された動画像である。従って、この場合、アイコンは、動画像に対応して更新される。
【０１７０】
ステップＳ１４１の次に、ステップＳ１２３乃至ステップＳ１３１で行われる処理は、図２４における場合と同様である。
【０１７１】
なお、図示は省略するが、アイコンを光ビームにより選択するようにすることも可能である。
【０１７２】
以上のようにして、ユーザは、ＴＶ放送番組を視聴しながら、その場で、所望の補完情報を得ることができる。
【０１７３】
また、補完情報の選択画面では、アイコン表示、自動追尾、静止画表示などがなされるので、容易な操作で目的とする補完情報を選択表示することができる。
【０１７４】
なお、上記実施例では、補完情報をＦＡＸ信号として伝送するようにしたが、文字多重放送として伝送したり、その未使用部分（例えば、垂直帰線消去期間の第２１ラインの走査線以外の走査線）に多重化して伝送するようにすることもできる。また、例えば、ＣＲＴ３５は独立の構成のものとすることができる。
【０１７５】
以上のように本発明の第１のテレビジョン放送装置および方法によれば、テレビジョン放送番組の画像の一部に関連し、テレビジョン信号受信装置のユーザから表示の指示があったときにテレビジョン信号受信装置に表示される補完情報を図形と文字で表示させるための表示データと、補完情報を有する画像の一部の画面上の位置に関する位置データとを含む補完情報関連信号を発生し、その信号とテレビジョン放送番組の信号を周波数多重または時分割多重で、多重化するようにしたので、視聴者がＴＶ放送番組を視聴しつつ、所望の補完情報を迅速に取得するサービスを実現することができる。
【０１７６】
本発明の第２のテレビジョン放送装置および方法によれば、テレビジョン放送番組の画像の一部に関連し、テレビジョン信号受信装置のユーザから表示の指示があったときに前記テレビジョン信号受信装置に表示される補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号を発生し、その信号とテレビジョン放送番組の信号を周波数多重または時分割多重で、多重化するようにしたので、視聴者がＴＶ放送番組を視聴しつつ、補完情報を視覚的に確実に把握し、所望の補完情報を迅速に取得するサービスを実現することができる。
【０１７７】
本発明のテレビジョン信号受信装置および方法によれば、テレビジョン放送番組の画像の一部に関連し、テレビジョン信号受信装置のユーザから表示の指示があったときに前記テレビジョン信号受信装置に表示される補完情報を図形と文字で表示させるための表示データと、補完情報を有する画像の一部の画面上の位置に関する位置データとを含む補完情報関連信号、または、補完情報、補完情報を有する画像の一部に対応し、補完情報を表示させるときに操作されるアイコンを表示させるための表示データ、および表示データにより表示されるアイコンの画面上における位置に関する位置データとを含む補完情報関連信号のうち、いずれか一方が多重化されているテレビジョン放送信号より、補完情報関連信号を受信し、指示があったときに、位置データに基づき、補完情報が対応されている画像の一部、またはそれに対応するアイコンが選択されていることを示すカーソルをテレビジョン放送番組の画像に重畳して、表示し、補完情報が対応されている画像の一部またはアイコンのうち、選択された画像の一部またはアイコンを決定し、決定された画像の一部またはアイコンに対応する補完情報を表示するようにしたので、視聴者は、容易な操作で迅速に、目的とする補完情報を選択して取得することができる。
【図面の簡単な説明】
【図１】本発明のＴＶ放送装置１の構成例を示すブロック図である。
【図２】図１のＴＶ放送装置１の処理動作を説明するフローチャートである。
【図３】図１のＴＶ放送装置１より出力されるＴＶ放送信号に多重化されているＴＶ音声信号の一例のスペクトラムを示す図である。
【図４】本発明のＴＶ信号受像装置を応用したＴＶ受像機２１の構成例を示すブロック図である。
【図５】リモートコマンダ２３の第１の実施例の構成を示す図である。
【図６】図５のリモートコマンダ２３の操作に対応する図４のＴＶ受像機２１の処理動作を説明するフローチャートである。
【図７】ＣＲＴ３５に表示される映像出力の表示例を示す図である。
【図８】図６のステップＳ１４の処理の詳細を説明するフローチャートである。
【図９】ＣＲＴ３５に表示される補完情報の選択画面の第１の表示例を示す図である。
【図１０】ＣＲＴ３５に表示される補完情報の選択画面の第２の表示例を示す図である。
【図１１】ＣＲＴ３５に表示される補完情報の選択画面の第３の表示例を示す図である。
【図１２】ＣＲＴ３５に表示される補完情報の選択画面の第４の表示例を示す図である。
【図１３】ＣＲＴ３５に表示される補完情報の第１の表示例を示す図である。
【図１４】図６のステップＳ１６の処理の詳細を説明するフローチャートである。
【図１５】図６のステップＳ１７の処理の詳細を説明するフローチャートである。
【図１６】リモートコマンダ２３の第２の実施例の構成を示す図である。
【図１７】ＴＶ受像機２１の第２の実施例の構成を示すブロック図である。
【図１８】図１６のリモートコマンダ２３の操作に対応する図１７のＴＶ受像機２１の処理動作を説明するフローチャートである。
【図１９】図１８のステップＳ５６の処理の詳細を説明するフローチャートである。
【図２０】図１８のステップＳ５８の処理の詳細を説明するフローチャートである。
【図２１】図１８のステップＳ５９の処理の詳細を説明するフローチャートである。
【図２２】リモートコマンダ２３の第３の実施例の構成を示す図である。
【図２３】図２２のリモートコマンダ２３の操作に対応する図４のＴＶ受像機２１の処理動作を説明するフローチャートである。
【図２４】図２３のステップＳ１１４の処理の詳細を説明するフローチャートである。
【図２５】ＣＲＴ３５に表示される補完情報の選択画面の第５の表示例を示す図である。
【図２６】図２５のアイコンメニューＡを拡大した図である。
【図２７】ＣＲＴ３５に表示される補完情報の選択画面の第６の表示例を示す図である。
【図２８】図２６のアイコンメニューＡでアイコンＡ１を選択したときに表示されるアイコンメニューを示す図である。
【図２９】図２８のアイコンメニューでアイコンＡ１１を選択したときに表示される補完情報を示す図である。
【図３０】図２３のステップＳ１１５の処理の詳細を説明するフローチャートである。
【符号の説明】
１  ＴＶ放送装置
２  アンテナ
１１  ＴＶ信号発生回路
１２  ＦＡＸ信号発生回路
１３  マルチプレクサ
１４  送信回路
１５  アイコン表示信号発生回路
１６  文字表示信号発生回路
１７  切換回路
２１  ＴＶ受像機
２２  ＴＶアンテナ
２３  リモートコマンダ
３１  ＴＶチューナ
３２  音声デコード回路
３３  スピーカ
３４  映像デコード回路
３５  ＣＲＴ
３６  ＦＡＸ情報デコード回路
３７  重畳回路
３８  マイクロコンピュータ
３９  ＯＳＤ制御回路
４０  可視光線検知回路
４１  受光部
【図１】
0003625096.tif 000002
【図２】
0003625096.tif 000003
【図３】
0003625096.tif 000004
【図４】
0003625096.tif 000005
【図５】
0003625096.tif 000006
【図６】
0003625096.tif 000007
【図７】
0003625096.tif 000008
【図８】
0003625096.tif 000009
【図９】
0003625096.tif 000010
【図１０】
0003625096.tif 000011
【図１１】
0003625096.tif 000012
【図１２】
0003625096.tif 000013
【図１３】
0003625096.tif 000014
【図１４】
0003625096.tif 000015
【図１５】
0003625096.tif 000016
【図１６】
0003625096.tif 000017
【図１７】
0003625096.tif 000018
【図１８】
0003625096.tif 000019
【図１９】
0003625096.tif 000020
【図２０】
0003625096.tif 000021
【図２１】
0003625096.tif 000022
【図２２】
0003625096.tif 000023
【図２３】
0003625096.tif 000024
【図２４】
0003625096.tif 000025
【図２５】
0003625096.tif 000026
【図２６】
0003625096.tif 000027
【図２７】
0003625096.tif 000028
【図２８】
0003625096.tif 000029
【図２９】
0003625096.tif 000030
【図３０】
0003625096.tif 000031